【事件の表示】
　特願２００７−５１９４１３「バリアカフストリップを有する使い捨て吸収性物品」拒絶査定不服審判事件〔平成１８年　１月１２日国際公開、ＷＯ２００６／００４８７３、平成２０年　２月２１日国内公表、特表２００８−５０４８９４〕について、次のとおり審決する。
【結　論】
　本件審判の請求は、成り立たない。
【理　由】
１．手続の経緯・本願発明 
　本願は、２００５年６月２９日（パリ条約による優先権主張外国庁受理２００４年６月２９日、米国）の出願であって、その請求項１に係る発明は平成２４年２月２３日付け手続補正で補正された特許請求の範囲、明細書及び図面の記載からみて、その特許請求の範囲の請求項１の記載により特定される次のとおりのものと認める（以下、「本願発明」という）。
「前側腰部区域、後側腰部区域及び前記腰部区域の間の股部区域、並びに、内面及び外面を有する使い捨ておむつであって、
　内面及び外面と横方向で対向する長手方向に延びる側縁とを有する吸収性組立体であって、長手方向に延びる側縁を有する吸収性コアと、該吸収性コアの内部に配置された透水性の上部カバーシートと、該吸収性コアの外部に配置された下部カバーシートとを含み、吸収性コアが上部カバーシートと下部カバーシートの間で挟まれ、上部カバーシートと下部カバーシートの各々が該吸収性コアの側縁を越えて横方向に延びて、下部カバーシートが外面の一部を形成する吸収性組立体と、
　前記吸収性組立体の側縁に隣接する下部カバーシートの前記内面に取り付けられた、横方向に対向して長手方向に延びる二つのバリアカフストリップであって、各バリアカフストリップが、内面と、外面と、長手方向に対向する末端部と、長手方向に延びる遠位縁と、横方向に対向して長手方向に延びる近位縁とを有し、各バリアカフストリップが、前記股部区域ではなく前記前側腰部区域および前記後側腰部区域において、その末端部と長手方向に延びる近位縁に隣接して前記吸収性組立体の前記内面に取り付けられ、各バリアカフストリップが、その近位縁に隣接して取り付けられた長手方向に延びる弾性ギャザー部材を含み、各バリアストリップの遠位縁は、吸収性組立体の各側縁の外側で横方向に側縁の概ね全長手範囲を覆って配置され、各バリアカフストリップの内面が、バリアカフストリップの近位縁からおむつの遠位縁まで使い捨ておむつの内面を形成する、バリアカフストリップと、を備え、
　各バリアカフストリップの近位縁は、横方向で吸収性コアの側縁の内側に配置され、
　使い捨ておむつの平坦な非収縮状態において、各バリアカフストリップの遠位縁は非直線になっていることを特徴とする使い捨ておむつ。」
　
２．当審の拒絶理由
　一方、当審において平成２３年９月２９日付けで通知した拒絶の理由２の概要は、
「本願発明１〜２０は、本願の出願前に日本国内において頒布された下記の刊行物に記載された発明に基づいて、その出願前にその発明の属する技術の分野における通常の知識を有する者が、容易に発明をすることができたものと認められるから、特許法第２９条第２項の規定により特許を受けることができない。
　
 引用文献等一覧
 １．特開平４−２２４７５０号公報
 ２．特開昭６３−１８２４０１号公報
 ３．特開平１１−３１８９８０号公報
 ４．特開２０００−３００６０６号公報
 ５．特開２０００−１４０００８号公報」
　というものである。
　
３．引用文献及び引用発明
（１）上記引用文献１には図面と共に下記の事項が記載されている。 
（ａ）「不透液性シートの上面に吸収体を設け、この吸収体の上面に透液性シートを配置し、両シートにより吸収体を包被した紙おむつ」（段落【０００８】参照）
（ｂ）「本発明に係る紙おむつでは、ポリエチレン等からなる不透液性シート１と不織布などからなる透液性シート２との間に、綿状パルプ等からなる、たとえば砂時計形または好ましくは図示のように長方形のある程度剛性を有する吸収体３が介在されている。吸収体３はその形状保持のために吸収紙（図示せず）により包むことができる。不透液性シート１は吸収体３の側縁より若干側方に延在しており、その延在部においてフラップ部材１０がたとえばホットメルト接着剤などにより接合されてさらに側方に延在している。また、その接合重ね合わせ部分の上方には、ホットメルト接着剤などによりバリヤーシート４の外側が接合されている。バリヤーシート４の紙おむつ内方には、糸ゴムなどからなる弾性伸縮部材５が固定され、バリヤーカフスＢを構成している。このバリヤーカフスＢの長手方向両端は、幅方向全体に透液性シート２の上面にホットメルト接着剤などにより接合されており、したがって着用時において、バリヤーカフスＢの長手方向中間が、弾性伸縮部材５の収縮力により紙おむつ中央側に向かって斜めに起立するようになっている。なお、透液性シート２の側部は不透液性シート１にホットメルト接着剤などにより固定されている。他方、図１からも明らかなように、フラップ部材１０は紙おむつの全長にわたっている。６は止着テープで、フラップ部材１０に固定される。」（段落【００１２】参照）
（ｃ）「このように構成された紙おむつにおいては、紙おむつの側部全体が通気性のフラップ部材１０から構成されているので、脚回り部分において蒸れを防止することができるとともに、紙おむつ長手方向前後においても、汗などによる水分がフラップ部材１０を通して透過するので、背中および腹部分における蒸れを防止できる。」（段落【００１３】参照）
（ｄ）「図５は広幅の通気性フラップ部材シートを用意し、その幅方向中間を不透液性シート１に接合し、外側方に延びる部分を本発明にいうフラップ部材１０Ａとし、内方斜めに起立する部分をバリヤーカフスＢとしたものである。」（段落【００１５】参照）
（ｅ）図５から、吸収体３が透液性シート２と不透液性シート１の間で挟まれ、透液性シート２と不透液性シート１の各々が該吸収体３の側縁を越えて横方向に延びて、不透液性シート１が紙おむつの下面の一部を形成すると共に、当該不透液性シート１の側縁に隣接する上面にフラップ部材シートが取り付けられ、その内方斜めに起立する部分を上面と下面を有するバリヤーカフスＢとしている点がみてとれる。
（ｆ）図１から、不透液性シート１、透液性シート２、及びこれらの間に挟まれている吸収体３はいずれも長方形であって長手方向に延びる側縁を有する点、また、各バリヤーシート４は長手方向両端と、対向して長手方向に延びて横方向で吸収体３の側縁の内側に配置される内縁（紙おむつの中央に近い側縁）を有する点がみてとれる。
（ｇ）図１から、各フラップ部材１０は長手方向に延びる外縁（紙おむつの中央から遠い側縁）を有し、当該外縁は、紙おむつの平坦な非収縮状態において、非直線になっており、腰部で接続するための止着テープ６を設けた（腹部分から前側腰部、背中部分から後側腰部をそれぞれ覆う）紙おむつの長手方向前後の幅広部分と、（脚回り部分から股部を覆うように）切り欠かれた前記幅広部分の間の幅狭部分を形成している点がみてとれる。
　
　ここで、上記（ｂ）、（ｃ）、（ｇ）より、紙おむつの長手方向前後が背中及び腹部部分に達することで、前側腰部、後側腰部及びその間の股部をも覆うので、当該紙おむつは前側腰部区域、後側腰部区域及びその間の股部区域、並びに人体に接する上面及びその逆の下面を有するものと認められ、また、紙おむつにおいて、吸収体の人体に接する上面に透液性シートが配置され、下面に不透液性シートが配置されることは技術常識である。
　さらに、上記（ｄ）、（ｅ）に記載されたように、広幅のフラップ部材シートを用意し、その幅方向中間を不透液性シート１に接合し、内方斜めに起立する部分をバリヤーカフスＢとして用いる場合は、フラップ部材シートの内縁が図１の実施例におけるバリヤーシート４の内縁を形成し、同様にフラップ部材シートの外縁が不透液性シート１の各側縁の外側で横方向に側縁の概ね全長手範囲を覆い、図１の実施例におけるフラップ部材１０の外縁を形成するものと認められる。
　よって、以上の記載から、引用文献１には次の発明（以下「引用発明」という）が記載されていると認められる。 
「前側腰部区域、後側腰部区域及び前記腰部区域の間の股部区域、並びに、上面及び下面を有する紙おむつであって、
　長手方向に延びる側縁を有する吸収体と、該吸収体の上面に配置された透液性シートと、該吸収体の下面に配置された不透液性シートとを備えており、吸収体が透液性シートと不透液性シートの間で挟まれ、透液性シートと不透液性シートの各々が該吸収体の側縁を越えて横方向に延びて、不透液性シートが紙おむつの下面の一部を形成し、
　さらに、前記不透液性シートの側縁に隣接する上面に取り付けられ、紙おむつの横方向に対向して長手方向に延びてバリヤーカフスとフラップ部材を形成する二つのフラップ部材シートを備えており、各フラップ部材シートが、上面と、下面と、長手方向両端と、長手方向に延びる外縁と、横方向に対向して長手方向に延びる内縁とを有し、各フラップ部材シートのバリヤーカフス部分長手方向両端が、幅方向全体に前記不透液性シートの上面に取り付けられ、各フラップ部材シートの紙おむつ内方には、長手方向に延びる弾性伸縮部材を含み、各フラップ部材シートの外縁は、前記不透液性シートの各側縁の外側で横方向に側縁の概ね全長手範囲を覆って配置され、各フラップ部材シートの上面が、フラップ部材シートの内縁から外縁まで紙おむつの上面を形成し、
　各フラップ部材シートの内縁は、横方向で吸収体の側縁の内側に配置され、
　紙おむつの平坦な非収縮状態において、各フラップ部材シートの外縁は非直線になっている紙おむつ。」
　
（２）上記引用文献２には図面と共に下記の事項が記載されている。 
（ａ）「バリヤカフス６２の両端部７２を閉鎖位置に固着するための閉鎖手段８０を第１図と第３図に示す。この閉鎖手段８０は着用者に対して一層快適にフィットさせ、オシメの使用中にバリヤカフス６２の遠位端６６の反転を防止する。反転とは、一般にオシメ２０を着用したときに、内側に配置された遠位端６６が外側に反転する事と定義される。第１図と第３図に図示の好ましい実施態様において、このような閉鎖手段８０はオシメの前側ウエスト区域２２と後側ウエスト区域２４に配置される。バリヤカフス６２の他の部分は閉鎖状態に固着されていないので遠位端６６は自由に開かれる。」（第１３頁右下欄第１７行〜第１４頁左上欄第９行）
　
（３）上記引用文献３には図面と共に下記の事項が記載されている。 
（ａ）「立ち上がりギャザーは、使い捨ておむつの左右に設けられた不織布等の帯状部材２４と、その先端部で袋状に折り曲げられた帯状部材２４の袋の中に伸長状態で接着された糸状弾性体２６から構成される。この帯状部材２４は、おむつの幅方向においては、おむつの両側縁からトップシート２２の両側縁までの領域でバックシート２３と接着されており、おむつの長手方向においては、斜線で示した長手方向両端部近傍２９（切欠き部分は省略したが４か所ある。）で、トップシート２１と接着されている。従って、おむつ長手方向の上端の接着部２９と下端の接着部２９の間においては、帯状部材２４とトップシート２２は接着されていない。このため、図１に示したように、おむつ着用時に、帯状部材２４がその先端に取り付けられた糸状弾性体２６の収縮力によって、帯状部材２４とトップシート２２の側縁との接着線を基端として、着用者の肌に向かって立ち上り、尿や軟便の横漏れを防ぐ堰を形成することとなる。」（段落【０００５】参照）
　
（４）上記引用文献４には図面と共に下記の事項が記載されている。 
（ａ）「該立体ギャザー(7a)(7b)は、例えば一側縁部をバックシート（１）の内側面の長手方向の両側縁部に接合したポリエチレン、ポリプロピレン、ＰＥＴ等の撥水性不織布等からなるサイドシート(10a)(10b)を内側に延長し、長手方向の側縁部に沿った基端縁(12a)(12b)にて連続的にトップシート（２）にヒートシール等の手段で接合することにより、さらに延長した内側のサイドシート部分と、先端縁(8a)(8b)に長手方向に収縮力を与えられて固着された立体ギャザー用糸ゴム（１１）とにより形成されるものであり、さらに該立体ギャザーは長手方向の両端部（a１）〜（a４）（図中斜線部分）がトップシート（２）面に接合されているために、該紙おむつを使用時に広げた際に起立状に現れる。」（段落【０００４】参照）
　
（５）上記引用文献５には図面と共に下記の事項が記載されている。 
（ａ）「該立体ギャザー（７ａ）（７ｂ）は、一側縁部をバックシート（１）の内側面の両側縁部に接合したポリエチレン、ポリプロピレン、ＰＥＴ等の織布、不織布、フィルム等の疎水性素材からなるサイドシート（１０ａ）（１０ｂ）を内側に延長し、吸収体（３）の長手方向中央部のくびれ部分では該吸収体側縁より外側位置にてトップシート（２）にヒートシール等の手段で接合することにより、さらに延長した内側のサイドシート部分と先端縁に設けた立体ギャザー用弾性部材（１１）とにより形成される。さらに立体ギャザー先端縁の長手方向の両端部（a１）〜（a４）はトップシート（２）に接合してある。」（段落【０００３】参照）
　
4．当審の判断
　本願発明と引用発明を対比すると、引用発明の「紙おむつ」は本願発明の「使い捨ておむつ」に相当し、引用発明の紙おむつの「上面」は、着用時に人体に接する面になるので本願発明の使い捨ておむつの「内面」に相当し、「下面」は「外面」に相当する（本願明細書の段落【００１７】参照）。
　同じく、引用発明の「吸収体」、「透液性シート」、「不透液性シート」及びこれらを合わせたものは、本願発明の「吸収性コア」、「透水性の上部カバーシート」、「下部カバーシート」及び「吸収性組立体」にそれぞれ相当し、「吸収体の上面」は「吸収性コアの内部」に、「吸収体の下面」は「吸収性コアの外部」に相当する。
　同じく、引用発明の「フラップ部材シート」、「弾性伸縮部材」は本願発明の「バリアカフストリップ」、「弾性ギャザー部材」に相当し、引用発明のフラップ部材シートの上面は、紙おむつの内面として人体に接するので、その「上面」は本願発明のバリアカフストリップの「使い捨ておむつの内面を形成する」「内面」に相当し、「下面」は「外面」に相当する。
　さらに、引用発明のフラップ部材シートの「長手方向両端」は、本願発明のバリアカフストリップの「長手方向に対向する末端部」に相当し、引用発明のフラップ部材シートの「内縁」、「外縁」は、それが配置される紙おむつの中央からの位置からみて、本願発明のバリアカフストリップの「近位縁」、「遠位縁」にそれぞれ相当する（本願明細書の段落【００１６】参照）。
　したがって、本願発明と引用発明は、
「前側腰部区域、後側腰部区域及び前記腰部区域の間の股部区域、並びに、内面及び外面を有する使い捨ておむつであって、
　内面及び外面と横方向で対向する長手方向に延びる側縁とを有する吸収性組立体であって、長手方向に延びる側縁を有する吸収性コアと、該吸収性コアの内部に配置された透水性の上部カバーシートと、該吸収性コアの外部に配置された下部カバーシートとを含み、吸収性コアが上部カバーシートと下部カバーシートの間で挟まれ、上部カバーシートと下部カバーシートの各々が該吸収性コアの側縁を越えて横方向に延びて、下部カバーシートが外面の一部を形成する吸収性組立体と、
　前記吸収性組立体の側縁に隣接する下部カバーシートの前記内面に取り付けられた、横方向に対向して長手方向に延びる二つのバリアカフストリップであって、各バリアカフストリップが、内面と、外面と、長手方向に対向する末端部と、長手方向に延びる遠位縁と、横方向に対向して長手方向に延びる近位縁とを有し、各バリアカフストリップが、その末端部で前記吸収性組立体の前記内面に取り付けられ、各バリアカフストリップが、その近位縁に隣接して取り付けられた長手方向に延びる弾性ギャザー部材を含み、各バリアストリップの遠位縁は、吸収性組立体の各側縁の外側で横方向に側縁の概ね全長手範囲を覆って配置され、各バリアカフストリップの内面が、バリアカフストリップの近位縁からおむつの遠位縁まで使い捨ておむつの内面を形成する、バリアカフストリップと、を備え、
　各バリアカフストリップの近位縁は、横方向で吸収性コアの側縁の内側に配置され、
　使い捨ておむつの平坦な非収縮状態において、各バリアカフストリップの遠位縁は非直線になっている使い捨ておむつ。」
である点で一致し、以下の点で相違する。 
　
［相違点］
　本願発明では、各バリアカフストリップが、股部区域ではなく前側腰部区域および後側腰部区域において、その末端部と長手方向に延びる近位縁に隣接して吸収性組立体の内面に取り付けられるのに対して、引用発明では、フラップ部材シートのバリヤーカフス部分の長手方向両端が、バリヤーカフスの幅方向全体で不透液性シートの上面に取り付けられる点。
　
　そこで、上記相違点について検討すると、本願の「バリアカフストリップ」に相当する、バリアカフス（上記引用文献２）、帯状部材（上記引用文献３）、サイドシート（上記引用文献４，５）を取り付けるに際して、その末端部近傍に長手方向に延びる近位縁に隣接した取付け部を設けることは周知であるから（上記（２）〜（５）参照）、引用発明において、フラップ部材シートの両端（末端部）のみならず、その近傍の前側腰部区域および後側腰部区域における、長手方向に延びる近位縁に隣接した取付け部を設けることは、当業者が適宜なし得た設計的事項にすぎないと認める。
　
　また、本願発明の作用効果も、引用発明及び周知技術から当業者が予測できる範囲のものであり、格別顕著なものと認められない。
　
　したがって、本願発明は引用発明及び周知技術に基づいて、当業者が容易に発明をすることができたものであって、特許法第２９条第２項の規定により特許を受けることができないものである。
　
５．むすび
　以上より、本願発明は、当審で通知した上記拒絶の理由によって拒絶をすべきものであり、結論のとおり審決する。